(57)【要約】      （修正有）【課題】カーシートや椅子などに着座する際、使う人の体型にあわせクッションの面積サイズを自由に変動させることで体型や好みにあわせ、着座時点での横ずれなど起こしにくくすることで快適な姿勢を保ち長時間での使用であっても快適な姿勢を保つ背あてクッションを提供する。【解決手段】２種類のパーツから成り立つ背あてクッションとし、上に取り付ける背パッドが面ファスナーを用いることにより、好みや体型にあわせ、位置に動きをつけられることとした。また面ファスナーの位置を背パッドの中央よりに縫い付けることで稼動範囲の大きさと体型に合わせた背パッドの位置の動きが大きく出せるようにしたことで解決した。【選択図】図１
0003151402.tif 000002
【実用新案登録請求の範囲】
【請求項１】
本考案は、少なくとも１面に起毛生地で覆われたベースクッションと一方の面の一方側の偏った位置にフック状面ファスナーを取り付けた左右２枚の背あてパッドの３パーツから構成されていることを特徴とするクッションである。
【請求項２】
本考案のクッションは、これまでのものと異なり、使う人の体型や好みににあわせ背あてパッドを左右上下に動かし取り付けることが出来る構造体を特徴としたクッションである
【考案の詳細な説明】
【技術分野】
【０００１】本考案は、椅子に取り付けるクッションとして、今までにない形状でさまざまな体型の人に合わせることを可能としたクッションである
【技術背景】
【０００２】今までは、背あて、腰枕などについては、体型によるサイズなどの変化をもたらすことが出来なく長時間での着座が苦痛であったがこのものであれば、使う人の体型に合わせて左右高さなど好みの位置に付け替えなどを可能としたクッション
【考案の開示】
【考案が解決しようとする課題】
【０００３】今までの背あてクッションなどでは、使う人の好みや体型に合わせた変化をつけることが出来なかった不便さを解消する。
【課題を解決するための手段】
【０００４】本考案は、ベースクッションの表皮材が起毛生地で覆われており、その上に面ファスナーＡ面を縫い付けた左右の背あてパッドの３点から構成されるものである。
上に取り付けられた背あてパッドは使う人の体型や好みにあわせ上下左右に位置をずらしたり取り外しが可能なものである
これによって、使う人の体型によって最も楽な位置にして使うことを可能とした
【考案の効果】
【０００５】上述のように、本考案のクッションを使うことで、背の左右のぐらつきなどが改善され長時間での車の運転や、車椅子での使用、その他椅子での着座の腰や背中への安定したすわりを実現するものである
【考案を実施するための最良の形態】
【０００６】本考案はカーシートなどの座席、または事務椅子、車椅子など座るものに対して着座するときに使用するクッションである。このクッションは人が座って体重をかけることで体になじむようにベースクッションの上に取り付けられた２枚の背あてクッションはフック状面ファスナーの位置は中央よりにすることで、多くの使う人の体型にあわせ動く構造としているため長時間の着座に対し楽な姿勢でいられる構造としている。また、ベースパッドの形状は多くの人の体型にあわせ人間の側面から見た背骨のＳ字形状にあわせ図１の１２に示すような、不必要な上部部分のベースパッドををなくし図１１の１３での背あたりをよくしている
【実施例】
【０００７】以下添付図に従って、一実施例を説明するものとする。図１のベースクッション２と３の背あてパッド２枚から商品は構成されている。３の背あてパッド裏面は図２のように９のフック状面ファスナーＡ面をこの位置に取り付ける事で図５の形状や、図６に示すような取り付け位置の変化をもたらすことを可能とした。また、面ファスナーをこの位置に取り付けることで図５のような状態での使用であっても、人間の腰や背中の椅子への着座時点での腰や背の個人差による立体的な体型にあわせ背あてパッドが自由に動きを持って稼動することを実現したものである。【０００８】本考案は、図３のベースパッド２の背面図にあるように４ａの固定球用ヒモの取り付け位置をベースクッション２の背面の中央の高い位置、１１の位置に縫い付ける
図３の１０にあるループ状の縫製ヒモの中を通し固定球７に通ずることから図８や図９のように取り付けた場合、固定球用のヒモがあることでクッションが前に倒れることなく取り付けられるよう考案されたものである。図１０のように固定球で固定する。【０００９】図１１に示すように、多くの人の側面から見た背骨の形状はＳ字に曲がっていることから本考案のベースクッション１２の部分が１３のように背骨のあたりを逃がした形状になっていることでより快適な姿勢を保てるような構造としている。
【図面の簡単な説明】
【００１０】
【図１】  本考案の背あてクッションの正面図である。
【図２】  本クッションの背あてパッドの裏面に付く面ファスナーの位置図である
【図３】  ベースクッションの背面図である
【図４】  本クションの右側面図である
【図５】  本クッションの斜視図である
【図６】  本クッションの図５の斜視図の背あてパッドの取り付け位置の変化をさせた図である
【図７】  本クッションの平面図である
【図８】  本クッションの椅子に取り付けた使用例の斜視図である
【図９】  背あてパッドの取り付け位置をずらしたときの斜視図
【図１０】  固定球用ヒモを使っての本クッションを取り付ける使用状態を示す側面図
【図１１】  本クッションを取り付け人が着座したときの背骨との位置関係を示す側面図である
【符号の説明】
【００１２】    １    外周ふち巻き
２    ベースクッション
３    背あてパッド
３ａ    背あてパッドのみの背面
４    固定球用のヒモ
４ａ    固定球用のヒモ
５    固定球
６    固定球脱落防止用金属ワッシャー
７    ヒモ結び目
８    ブランドネーム
９    面ファスナーフックタイプ（Ａ面）
１０    固定球取り付けヒモを通すループリングヒモ
１１    固定球ヒモ縫製取り付け位置
１２    背骨のあたりを逃がした形状
１３    人体の側面から見た背骨のＳ字形状の部分を逃がすベースクッションの位置
【図１】
0003151402.tif 000003
【図２】
0003151402.tif 000004
【図３】
0003151402.tif 000005
【図４】
0003151402.tif 000006
【図５】
0003151402.tif 000007
【図６】
0003151402.tif 000008
【図７】
0003151402.tif 000009
【図８】
0003151402.tif 000010
【図９】
0003151402.tif 000011
【図１０】
0003151402.tif 000012
【図１１】
0003151402.tif 000013
【手続補正書】
【提出日】平成20年12月22日(2008.12.22)
【手続補正１】
【補正対象書類名】実用新案登録請求の範囲
【補正対象項目名】全文
【補正方法】変更
【補正の内容】
【実用新案登録請求の範囲】
【請求項１】
本考案は、少なくとも１面が起毛生地で覆われたベースクッションと一方の面の一方側の偏った位置に面ファスナーフックタイプ（Ａ面）を取り付けた左右２枚の背あてパッドの３パーツから構成されていることを特徴とするクッション。
【手続補正２】
【補正対象書類名】明細書
【補正対象項目名】全文
【補正方法】変更
【補正の内容】
【考案の詳細な説明】
【技術分野】
【０００１】本考案は、椅子に取り付けるクッションとして、今までにない形状でさまざまな体型の人に合わせることを可能としたクッション。
【技術背景】
【０００２】今までは、背あて、腰枕などについては、体型によるサイズなどの変化をもたらすことが出来なく長時間での着座が苦痛であったがこのものであれば、使う人の体型に合わせて左右高さなど好みの位置に付け替えなどを可能としたクッション
【考案の開示】
【考案が解決しようとする課題】
【０００３】今までの背あてクッションなどでは、使う人の好みや体型に合わせた変化をつけることが出来なかった不便さを解消する。
【課題を解決するための手段】
【０００４】本考案は、ベースクッションの表皮材が起毛生地で覆われており、その上に面ファスナーフックタイプ（Ａ面）を縫い付けた左右の背あてパッドの３点から構成されるものである。
上に取り付けられた背あてパッドは使う人の体型や好みにあわせ上下左右に位置をずらしたり取り外しが可能なものである
これによって、使う人の体型によって最も楽な位置にして使うことを可能とした
【考案の効果】
【０００５】上述のように、本考案の背あてクッションを使うことで、背の左右のぐらつきなどが改善され長時間での車の運転や、車椅子での使用、その他椅子での着座の腰や背中への安定したすわりを実現するものである
【考案を実施するための最良の形態】
【０００６】本考案はカーシートなどの座席、または事務椅子、車椅子など座るものに対して着座するときに使用するクッションである。このクッションは人が座って体重をかけることで体になじむようにベースクッションの上に取り付けられた２枚の背あてパッドは面ファスナーフックタイプ（Ａ面）の位置は中央よりにすることで、多くの使う人の体型にあわせ動く構造としているため長時間の着座に対し楽な姿勢でいられる構造としている。また、ベースクッションの形状は多くの人の体型にあわせ人間の側面から見た背骨のＳ字形状にあわせ図１の１２に示すような、不必要な上部部分のベースクッションををなくし図１１の１３での背あたりをよくしている
【実施例】
【０００７】以下添付図に従って、一実施例を説明するものとする。図１のベースクッション２と３の背あてパッド２枚から商品は構成されている。３の背あてパッド裏面は図２のように９の面ファスナーフックタイプ（Ａ面）をこの位置に取り付ける事で図５の形状や、図６に示すような取り付け位置の変化をもたらすことを可能とした。また、面ファスナーフックタイプ（Ａ面）をこの位置に取り付けることで図５のような状態での使用であっても、人間の腰や背中の椅子への着座時点での腰や背の個人差による立体的な体型にあわせ背あてパッドが自由に動きを持って稼動することを実現したものである。【０００８】本考案は、図３のベースクッション２の背面図にあるように４ａの固定球用のヒモの取り付け位置をベースクッション２の背面の中央の高い位置、１１の位置に縫い付ける
図３の１０にある固定球取り付けヒモを通すループリングヒモの中を通し固定球５に通ずることから図８や図９のように取り付けた場合、固定球用のヒモがあることでクッションが前に倒れることなく取り付けられるよう考案されたものである。図１０のように固定球５で固定する。【０００９】図１１に示すように、多くの人の側面から見た背骨の形状はＳ字に曲がっていることから本考案のベースクッション１２の部分が１３のように背骨のあたりを逃がした形状になっていることでより快適な姿勢を保てるような構造としている。
【図面の簡単な説明】
【００１０】
【図１】本考案の背あてクッションの正面図である。
【図２】本クッションの背あてパッドの裏面に付く面ファスナーの位置図である
【図３】ベースクッションの背面図である
【図４】本クションの右側面図である
【図５】本クッションの斜視図である
【図６】本クッションの図５の斜視図の背あてパッドの取り付け位置の変化をさせた図である
【図７】本クッションの平面図である
【図８】本クッションの椅子に取り付けた使用例の斜視図である
【図９】背あてパッドの取り付け位置をずらしたときの斜視図
【図１０】固定球用ヒモを使っての本クッションを取り付ける使用状態を示す側面図
【図１１】本クッションを取り付け人が着座したときの背骨との位置関係を示す側面図である
【符号の説明】
【００１１】１    外周ふち巻き
２    ベースクッション
３    背あてパッド
３ａ  背あてパッドのみの背面
４    固定球用のヒモ
４ａ  固定球用のヒモ
５    固定球
６    固定球脱落防止用金属ワッシャー
７    ヒモ結び目
８    ブランドネーム
９    面ファスナーフックタイプ（Ａ面）
１０  固定球取り付けヒモを通すループリングヒモ
１１  固定球ヒモ縫製取り付け位置
１２  背骨のあたりを逃がした形状
１３  人体の側面から見た背骨のＳ字形状の部分を逃がすベースクッションの位置
【手続補正書】
【提出日】平成21年3月24日(2009.3.24)
【手続補正１】
【補正対象書類名】実用新案登録請求の範囲
【補正対象項目名】全文
【補正方法】変更
【補正の内容】
【実用新案登録請求の範囲】
【請求項１】
一方の面の一方側に偏った位置に面ファスナーフックタイプ（Ａ面）を取り付けた左右の２枚の背あてパッドを少なくとも１面が起毛生地で覆われたベースクッションの起毛面上に前記、面ファスナーフックタイプ（Ａ面）を用い取り付けたことを特徴とするクッション。
【手続補正２】
【補正対象書類名】明細書
【補正対象項目名】０００４
【補正方法】変更
【補正の内容】
【０００４】一方の面の一方側に偏った位置に面ファスナーフックタイプ（Ａ面）を取り付けた左右の２枚の背あてパッドを少なくとも１面が起毛生地で覆われたベースクッションの起毛面上に前記、面ファスナーフックタイプ（Ａ面）を用い取り付けたことを特徴とするクッション。
上に取り付けられた背あてパッドは使う人の体型や好みにあわせ上下左右に位置をずらしたり取り外しが可能なものである
これによって、使う人の体型によって最も楽な位置にして使うことを可能とした